(57)【要約】【課題】脱圧工程で生じる脱圧力を、射出成形機の動作に有効利用する。【解決手段】第１のグリス供給部品に定量のグリスを吐出供給する第１の定量バルブ３０と、第１の定量バルブ３０にグリスを供給するグリスポンプ３１と、グリスポンプ３１により供給されるグリスを第１の定量バルブ３０へ供給する切換弁３２とを備える。切換弁３２には、第１の定量バルブ３０から第１のグリス供給部品にグリスを吐出供給したときに第１の配管３４内で発生した圧力を、脱圧する脱圧ポートを備え、切換弁３２の脱圧ポートと第２のグリス供給部品とを第２の配管４１により接続する。第１の配管３４内の脱圧工程により、第１の配管３４内に有するグリスを、第２の配管４１を通じて第２のグリス供給部品に供給する。【選択図】図１
2017030233.tif 000002
【特許請求の範囲】
【請求項１】
グリスの供給の必要な第１，第２のグリス供給部品を備えた成形機であって、
前記第１のグリス供給部品に定量のグリスを吐出供給する第１の定量バルブと、
該第１の定量バルブに前記グリスを供給するグリスポンプと、
該グリスポンプにより供給される前記グリスを、内部に設けた供給ポートを通じて前記第１の定量バルブへ供給する切換弁と、
前記グリスポンプ、前記切換弁、前記第１の定量バルブ、および、前記第１のグリス供給部品を、これらの順で接続した第１の配管と、を備え、
前記切換弁には、前記第１の定量バルブから前記第１のグリス供給部品に前記グリスを吐出供給したときに前記第１の配管内で発生した圧力を、脱圧する脱圧ポートを備え、
該切換弁の前記脱圧ポートと前記第２のグリス供給部品とを第２の配管により接続したことを特徴とする成形機。
【請求項２】
グリスの供給の必要な第１，第２のグリス供給部品を備えた成形機であって、
前記第１のグリス供給部品に定量のグリスを吐出供給する第１の定量バルブと、
該第１の定量バルブに前記グリスを供給するグリスポンプと、
該グリスポンプにより供給される前記グリスを、内部に設けた供給ポートを通じて前記第１の定量バルブへ供給する切換弁と、
前記グリスポンプ、前記切換弁、前記第１の定量バルブ、および、前記第１のグリス供給部品を、これらの順で接続した第１の配管と、を備え、
前記切換弁には、前記第１の定量バルブから前記第１のグリス供給部品に前記グリスを吐出供給したときに前記第１の配管内で発生した圧力を、脱圧する脱圧ポートを備え、
該切換弁の前記脱圧ポートと前記第２のグリス供給部品とは第２の配管により接続されており、
前記第１の配管内の脱圧工程により、前記第１の配管内に有する前記グリスを、前記切換弁、前記第２の配管を通じて、前記第２のグリス供給部品に供給するようにしたことを特徴とする成形機。
【請求項３】
前記成形機の稼動時間を計測する計時手段を備え、該計時手段により計測された時間が、予め設定された時間に達したときに、前記第１の配管内に有する前記グリスが、前記第２のグリス供給部品に供給されるよう前記切換弁を制御する制御手段を備えることを特徴とする請求項１又は２に記載の成形機。
【請求項４】
前記成形機には、金型のキャビティに樹脂材料を射出する射出ユニットと、該射出ユニットから前記金型のキャビティに前記樹脂材料を射出するショット数をカウントするショット数カウント手段と、を備え、
該ショット数カウント手段でカウントされたショット数が、予め設定されたショット数に達したときに、前記第１の配管内に有する前記グリスが、前記第２のグリス供給部品に供給されるよう前記切換弁を制御する制御手段を備えることを特徴とする請求項１又は２に記載の成形機。
【請求項５】
前記成形機には、金型の型開閉を行う型開閉ユニットと、前記金型の型開閉数をカウントする型開閉数カウント手段と、を備え、
該型開閉数カウント手段でカウントされた型開閉数が、予め設定された型開閉数に達したときに、前記第１の配管内に有する前記グリスが、前記第２のグリス供給部品に供給されるよう前記切換弁を制御する制御手段を備えることを特徴とする請求項１又は２に記載の成形機。
【発明の詳細な説明】
【技術分野】
【０００１】
本発明は、グリスの供給が必要なグリス供給部品にグリスを供給するグリス供給装置を備えた、射出成形機やダイカストマシン等の成形機に関する。
【背景技術】
【０００２】
従来から用いられている一般的な射出成形機においては、稼動に伴い摺動する金属製の部品を複数備えている。例えば、定期的に潤滑剤たるグリスを供給しなければならない部位としては、例えば、射出ユニットや型閉ユニットに設けられたボールネジ機構、金型を型開閉するときに動作されるトグルリンク機構のトグルピン等が知られており、こうしたグリス供給部品へ、ポンプと切換弁を動作させて、タンク内に貯蔵されたグリスを、配管を通じて計量バルブから供給する射出成形機の給脂装置が特許文献１には開示されている。
【先行技術文献】
【特許文献】
【０００３】
【特許文献１】特開２０１５−４４３８８号公報
【発明の概要】
【発明が解決しようとする課題】
【０００４】
しかし、特許文献１に記載のように、ポンプを動作させ、配管等を通じて計量バルブからグリス供給部品へグリスを供給する場合には、それに伴い、配管内に圧力が残るため、当該配管内の圧力を抜く脱圧工程が必要であるのだが、こうした脱圧工程で生ずる脱圧力は、単に無駄に消費されているという実情があった。
【０００５】
本発明は、上記課題に鑑みてなされたものであり、脱圧工程で生じる脱圧力を、成形機の動作として有効利用することが可能な成形機を提供することを目的とする。
【課題を解決するための手段】
【０００６】
本成形機に係る発明は、
グリスの供給の必要な第１，第２のグリス供給部品を備えた成形機であって、
前記第１のグリス供給部品に定量のグリスを吐出供給する第１の定量バルブと、
該第１の定量バルブに前記グリスを供給するグリスポンプと、
該グリスポンプにより供給される前記グリスを、内部に設けた供給ポートを通じて前記第１の定量バルブへ供給する切換弁と、
前記グリスポンプ、前記切換弁、前記第１の定量バルブ、および、前記第１のグリス供給部品を、これらの順で接続した第１の配管と、を備え、
前記切換弁には、前記第１の定量バルブから前記第１のグリス供給部品に前記グリスを吐出供給したときに前記第１の配管内で発生した圧力を、脱圧する脱圧ポートを備え、
該切換弁の前記脱圧ポートと前記第２のグリス供給部品とを第２の配管により接続したことを特徴とする。
【０００７】
本成形機に係る発明は、
グリスの供給の必要な第１，第２のグリス供給部品を備えた成形機であって、
前記第１のグリス供給部品に定量のグリスを吐出供給する第１の定量バルブと、
該第１の定量バルブに前記グリスを供給するグリスポンプと、
該グリスポンプにより供給される前記グリスを、内部に設けた供給ポートを通じて前記第１の定量バルブへ供給する切換弁と、
前記グリスポンプ、前記切換弁、前記第１の定量バルブ、および、前記第１のグリス供給部品を、これらの順で接続した第１の配管と、を備え、
前記切換弁には、前記第１の定量バルブから前記第１のグリス供給部品に前記グリスを吐出供給したときに前記第１の配管内で発生した圧力を、脱圧する脱圧ポートを備え、
該切換弁の前記脱圧ポートと前記第２のグリス供給部品とは第２の配管により接続されており、
前記第１の配管内の脱圧工程により、前記第１の配管内に有する前記グリスを、前記切換弁、前記第２の配管を通じて、前記第２のグリス供給部品に供給するようにしたことを特徴とする。
【０００８】
本成形機に係る発明は、
前記成形機の稼動時間を計測する計時手段を備え、該計時手段により計測された時間が、予め設定された時間に達したときに、前記第１の配管内に有する前記グリスが、前記第２のグリス供給部品に供給されるよう前記切換弁を制御する制御手段を備えることを特徴とする。
【０００９】
本成形機に係る発明は、
前記成形機には、金型のキャビティに樹脂材料を射出する射出ユニットと、該射出ユニットから前記金型のキャビティに前記樹脂材料を射出するショット数をカウントするショット数カウント手段と、を備え、
該ショット数カウント手段でカウントされたショット数が、予め設定されたショット数に達したときに、前記第１の配管内に有する前記グリスが、前記第２のグリス供給部品に供給されるよう前記切換弁を制御する制御手段を備えることを特徴とする。
【００１０】
本成形機に係る発明は、
前記成形機には、金型の型開閉を行う型開閉ユニットと、前記金型の型開閉数をカウントする型開閉数カウント手段と、を備え、
該型開閉数カウント手段でカウントされた型開閉数が、予め設定された型開閉数に達したときに、前記第１の配管内に有する前記グリスが、前記第２のグリス供給部品に供給されるよう前記切換弁を制御する制御手段を備えることを特徴とする。
【発明の効果】
【００１１】
本成形機の発明によれば、第１の配管内の脱圧工程により、第１の配管内に有するグリスを、切換弁、第２の配管を通じて、第２のグリス供給部品に供給することができる。すなわち、脱圧工程で生じる脱圧力を、第２のグリス供給部品へグリスを供給するための動力源として利用することができる。よって、従来無駄に消費されていた脱圧工程で生じる脱圧力を無駄になることなく効果的に利用することができる。
【００１２】
また、計時手段により計測される成形機の稼動時間が、予め設定された時間に達すると、制御手段が、成形機の稼動時間を０にリセットすると共に、切換弁の切り換え制御を行う。そして、第１の配管内に有するグリスは、切換弁の切り換え制御に伴う脱圧工程で生じる脱圧力により、切換弁、第２の配管を介し第２のグリス供給部品に供給されることとなり、さらに、予め設定された時間毎に、計時手段により計測される成形機の稼動時間が０にリセットされることから、第２のグリス供給部品に対してグリス不足が発生することがないよう定期的にグリスの供給を行うことが可能となる。
【００１３】
また、ショット数カウント手段によりカウントされる、金型のキャビティに樹脂材料を射出するショット数が、予め設定されたショット数に達すると、制御手段が、カウントされたショット数を０にリセットすると共に、切換弁の切り換え制御を行う。そして、第１の配管内に有するグリスは、切換弁の切り換え制御に伴う脱圧工程で生じる脱圧力により、切換弁、第２の配管を介し第２のグリス供給部品に供給されることとなり、さらに、予め設定したショット数毎に、ショット数カウント手段によりカウントされるショット数が０にリセットされることから、第２のグリス供給部品に対してグリス不足が発生することがないよう定期的にグリスの供給を行うことが可能となる。
【００１４】
また、型開閉数カウント手段によりカウントされる金型の開閉数が、予め設定された型開閉数に達すると、制御手段が、カウントされた型開閉数を０にリセットすると共に、切換弁の切り換え制御を行う。そして、第１の配管内に有するグリスは、切換弁の切り換え制御に伴う脱圧工程で生じる脱圧力により、切換弁、第２の配管を介し第２のグリス供給部品に供給されることとなり、さらに、予め設定した型開閉数毎に、型開閉数カウント手段によりカウントされる金型の開閉数が０にリセットされることから、第２のグリス供給部品に対してグリス不足が発生することがないよう定期的にグリスの供給を行うことが可能となる。
【図面の簡単な説明】
【００１５】
【図１】実施例１の射出成形機を示す概略構成図である。
【図２】実施例２の射出成形機を示す概略構成図である。
【図３】実施例３の射出成形機を示す概略構成図である。
【発明を実施するための形態】
【００１６】
以下、本発明を実施するための実施例を以下に説明する。もちろん、本発明は、その発明の趣旨に反しない範囲で、実施例において説明した以外の構成のものに対しても容易に適用可能なことは説明を要するまでもない。
【実施例１】
【００１７】
本実施例の射出成形機１は、大別すると、金型の型開閉を行う型開閉ユニット２、型閉された金型のキャビティへ溶融樹脂を射出する射出ユニット３、および、グリスの供給が必要な後述するグリス供給部品にグリスを供給するグリス供給装置４とから構成される。
【００１８】
型開閉ユニット２には、固定金型５の装着される固定ダイプレート６、可動金型７の装着される可動ダイプレート８、伸長・屈曲動作により可動ダイプレート８を進退させるトグルリンク機構９、トグルリンク機構９を支持するテールストック１０、固定ダイプレート６と可動ダイプレート８とに架設するように設けられたタイバー１１等を備える。トグルリンク機構９には、複数のリンクアーム１２、ボールネジ１３等を備える。
【００１９】
また、射出ユニット３には、先端に射出ノズル１４が装着された加熱シリンダ１５、加熱シリンダ１５内に進退可能であって回転可能に設けられたスクリュー１６、加熱シリンダ１５内のスクリュー１６を進退させるときに動作されるボールネジ機構１７等を備える。ボールネジ機構１７は、ボールネジ軸１８と該ボールネジ軸１８に螺合されたナット体１９とから構成されている。ボールネジ軸１８は、複数のベアリング２０により回転可能に支持されている。
【００２０】
なお、ボールネジ１３、リンクアーム１２の連結部にあるトグルピン２１、ボールネジ軸１８、ナット体１９、ベアリング２０、テールストック１０の回転ナット部２２、可動ダイプレート８に設けたタイバー１１との摺動部であるブッシュ２３、および、固定ダイプレート６に設けたタイバー１１との固定部である固定プレート部２４には、グリス供給装置４からグリスが供給されるものである。
【００２１】
ここで、グリス供給部品にグリスを供給するグリス供給装置４の構成について説明する。なお、本実施例では、グリス供給部品として、第１のグリス供給部品と、これに比べグリスの供給量が少なくてよい第２のグリス供給部品とがあり、第１のグリス供給部品は、前述した、ボールネジ１３、トグルピン２１、ボールネジ軸１８、ナット体１９、および、ベアリング２０であり、第２のグリス供給部品は、前述した、回転ナット部２２、ブッシュ２３、および、固定プレート部２４である。
【００２２】
図１に示すように、グリス供給装置４には、第１のグリス供給部品に定量のグリスを吐出供給する第１の定量バルブ３０、第１の定量バルブ３０にグリスを供給するグリスポンプ３１、グリスポンプ３１により供給されてきたグリスを、内部に設けた供給ポートを通じて第１の定量バルブ３０へ供給する切換弁３２、グリスポンプ３１の圧力を計測する圧力計３３、グリスポンプ３１と圧力計３３と切換弁３２と第１の定量バルブ３０と第１のグリス供給部品とをこれらの順に接続した第１の配管３４、圧力スイッチ３５、第２のグリス供給部品にグリスを供給する開放弁４０、開放弁４０と切換弁３２の脱圧ポートとを接続した第２の配管４１、射出成形機１の稼動時間を計測する計時手段４２、第１の配管３４内に有するグリスが、第２のグリス供給部品に供給されるよう切換弁３２の切り換え制御を行う制御手段４３等を備える。なお、第１の定量バルブ３０内には、所定のストロークで進退可能なピストンと当該ピストンを後退側に付勢するスプリングを備えており、スプリングの付勢力に抗して、ピストンが所定のストロークで前進されることにより、第１のグリス供給部品への定量のグリスの吐出供給が行われるようになっている。また、脱圧工程により、第１の定量バルブ３０内の圧力が脱圧されたときには、スプリングの付勢力によりピストンは後退されることになる。
【００２３】
また、制御手段４３は、計時手段４２により計測される射出成形機１の稼動時間が、予め設定された時間に達すると、当該射出成形機の稼動時間を０にリセットすると共に、グリスポンプ３１を起動し、第１の定量バルブ３０を動作させることで第１のグリス供給部品に定量のグリスを供給し、さらには、切換弁３２の切り換え制御を行う。そして、第１の配管３４内に有するグリスは、切換弁３２の切り換え制御に伴う脱圧工程の脱圧力（第１の配管３４内のグリス圧力：８〜１０ＭＰａ）により、切換弁３２、第２の配管４１、開放弁４０を介し、第２のグリス供給部品に５ｃｍ３程度の量のグリスの供給を行う。
【００２４】
以上のような射出成形機１によれば、第１の配管３４内の脱圧工程により、第１の配管３４内に有するグリスを、切換弁３２、第２の配管４１を通じて、第２のグリス供給部品に供給することができる。よって、従来無駄に消費されていた脱圧工程で生じる脱圧力を無駄になることなく、第２のグリス供給部品へグリスを供給するための動力源として効果的に利用することができる。
【００２５】
さらに、射出成形機１には、当該射出成形機１の稼動時間を計測する計時手段４２と、計時手段４２により計測された時間が予め設定された時間に達したときに、第１の配管３４内に有するグリスが、第２のグリス供給部品に供給されるよう切換弁３２を制御する制御手段４３とを備え、計時手段４２により計測される射出成形機１の稼動時間が、予め設定された時間に達すると、制御手段４３が、射出成形機１の稼動時間を０にリセットすると共に、グリスポンプ３１を起動し、第１の定量バルブ３０を動作させることで第１のグリス供給部品に定量のグリスを供給し、さらには、切換弁３２の切り換え制御を行う。そして、第１の配管３４内に有するグリスは、切換弁３２の切り換え制御に伴う脱圧工程で生じる脱圧力を用いて、切換弁３２、第２の配管４１、開放弁４０を介し、第２のグリス供給部品に供給されることとなり、さらに、予め設定された時間毎に、計時手段４２により計測された射出成形機１の稼動時間が０にリセットされることから、第２のグリス供給部品に対してグリス不足が発生することがないよう定期的にグリスの供給を行うことが可能となる。
【実施例２】
【００２６】
図２は実施例２の射出成形機１００を示したものであり、当該実施例２では、実施例１の計時手段４２に代えてショット数カウント手段１４２を備えたものである。そして、実施例２の射出成形機１００においては、ショット数カウント手段１４２によりカウントされた、金型のキャビティに樹脂材料を射出するショット数が、予め設定されたショット数に達すると、実施例２の制御手段１４３は、ショット数カウント手段１４２によりカウントされたショット数を０にリセットすると共に、グリスポンプ３１を起動し、第１の定量バルブ３０を動作させることで第１のグリス供給部品に定量のグリスを供給し、さらには、切換弁３２の切り換え制御を行う。そして、第１の配管３４内に有するグリスは、切換弁３２の切り換え制御に伴う脱圧工程で生じる脱圧力を用いて、切換弁３２、第２の配管４１、開放弁４０を介し、第２のグリス供給部品に供給されることとなり、さらに、予め設定されたショット数毎に、ショット数カウント手段１４２によりカウントされたショット数が０にリセットされることから、第２のグリス供給部品に対してグリス不足が発生することがないよう定期的にグリスの供給を行うことが可能となる。なお、上記以外は実施例１の射出成形機１と同じ構成を有しているので、図２においては、同一箇所には同一符号を付し、その詳細な説明については省略する。
【実施例３】
【００２７】
図３は実施例３の射出成形機２００を示したものであり、当該実施例３では、実施例１の計時手段４２に代えて型開閉数カウント手段２４２を備えたものである。そして、実施例３の射出成形機２００においては、型開閉数カウント手段２４２によりカウントされた型開閉数が、予め設定された型開閉数に達すると、実施例３の制御手段２４３は、型開閉数カウント手段２４２によりカウントされた型開閉数を０にリセットすると共に、グリスポンプ３１を起動し、第１の定量バルブ３０を動作させることで第１のグリス供給部品に定量のグリスを供給し、さらには、切換弁３２の切り換え制御を行う。そして、第１の配管３４内に有するグリスは、切換弁３２の切り換え制御に伴う脱圧工程で生じる脱圧力を用いて、切換弁３２、第２の配管４１、開放弁４０を介し、第２のグリス供給部品に供給されることとなり、さらに、予め設定された型開閉数毎に、型開閉数カウント手段２４２により計測された射出成形機２００の型開閉数が０にリセットされることから、第２のグリス供給部品に対してグリス不足が発生することがないよう定期的にグリスの供給を行うことが可能となる。なお、上記以外は実施例１の射出成形機１と同じ構成を有しているので、図３においては、同一箇所には同一符号を付し、その詳細な説明については省略する。
【符号の説明】
【００２８】
１  実施例１の射出成形機（成形機）
２  型開閉ユニット
３  射出ユニット
４  グリス供給装置
５  固定金型
６  固定ダイプレート
７  可動金型
８  可動ダイプレート
９  トグルリンク機構
１０  テールストック
１１  タイバー
１２  リンクアーム
１３  ボールネジ
１４  射出ノズル
１５  加熱シリンダ
１６  スクリュー
１７  ボールネジ機構
１８  ボールネジ軸
１９  ナット体
２０  ベアリング
２１  トグルピン
２２  回転ナット部
２３  ブッシュ
２４  固定プレート部
３０  第１の定量バルブ
３１  グリスポンプ
３２  切換弁
３３  圧力計
３４  第１の配管
３５  圧力スイッチ
４０  開放弁
４１  第２の配管
４２  計時手段
４３  制御手段
１００  実施例２の射出成形機（成形機）
１４２  ショット数カウント手段
１４３  制御手段
２００  実施例３の射出成形機（成形機）
２４２  型開閉数カウント手段
２４３  制御手段
【図１】
2017030233.tif 000003
【図２】
2017030233.tif 000004
【図３】
2017030233.tif 000005